(57)【要約】【課題】ハンマーなどによる打撃によって、据付針５の針本体５１とホルダ５２の一体性が容易に損なわれることのない下げ振り保持器を提供する。【解決手段】下げ振り糸を巻き取る糸巻と、この糸巻を回転可能に収納したケースと、このケースを任意の位置へ止着するための据付針５とを備える下げ振り保持器において、据付針５が、針本体５１と、この針本体５１の基部を埋設した状態に成形されたホルダ５２からなり、針本体５１に、ホルダ５２との咬合部５１ｃが形成され、この咬合部５１ｃが、針本体５１の一部を潰すことによる異形断面部からなるものである。【選択図】図２
2007178260.tif 000002
【特許請求の範囲】
【請求項１】
下げ振り糸を巻き取る糸巻と、この糸巻を回転可能に収納したケースと、このケースを任意の位置へ止着するための据付針とを備える下げ振り保持器において、前記据付針が、尖端が前記ケースの取付面に形成した針突没孔から突没される針本体と、この針本体の基部を埋設した状態に成形され前記針突没孔と対応してケースの背面に開設された背面孔から頭部が常時突出されるホルダからなり、前記針本体に、前記ホルダとの咬合部が形成されたことを特徴とする下げ振り保持器。
【請求項２】
咬合部が、針本体の異形断面部からなることを特徴とする請求項１に記載の下げ振り保持器。
【請求項３】
咬合部が、針本体の蛇行部からなることを特徴とする請求項１に記載の下げ振り保持器。
【発明の詳細な説明】
【技術分野】
【０００１】
本発明は、建築施工において水平面に対する施工部の鉛直性の確認や地墨合わせをするための下げ振りを懸吊支持する下げ振り保持器に関する。
【背景技術】
【０００２】
下げ振り保持器として、従来、例えば下記の特許文献１に開示されたようなものが知られている。すなわち、この種の下げ振り保持器は、下げ振り糸を巻き取る糸巻を収納したケースに、尖端がこのケースの取付面上部に形成した針突没孔から突没し後端の頭部がケースの背面の孔から常時突出するように据付針が内蔵されており、施工部の木材等に固定する時に、ケースの背面から突出した据付針の頭部を打撃して据付針を打ち込むようにしたものである。
【特許文献１】実用新案登録第３００９９０２号公報
【０００３】
従来の構造においては、据付針が、金属製の針本体と、その基部に合成樹脂材で一体成形されたホルダ（柄）からなり、ホルダの後端部を手で握って強く押したり、素手で叩くことによって施工部の木材等に刺し込むようになっている。しかし、このような方法では、相手材が硬い木材からなるような場合、据付針を深く刺し込むことが困難であるため、下げ振りの重量によって、下げ振り保持器が落下してしまうおそれがある。
【０００４】
したがってこのような場合は、据付針の刺し込みを、ホルダの頭部をハンマーなどで打撃することにより行うが、針本体に加わる衝撃によって、合成樹脂材からなるホルダが針本体と剥離してしまうおそれがあるため、打撃力を手加減する必要があり、作業効率が悪くなっていた。しかも、ハンマー等による打撃力が大きいと、上述のようにホルダが針本体と剥離して一体性が損なわれ、打撃の際にホルダに局部的な衝撃荷重が加わって破損しやすくなったり、据付針を回しながら相手材から引き抜く時に、ホルダだけが空転して相手材から容易に引き抜くことができなくなるおそれがある。
【発明の開示】
【発明が解決しようとする課題】
【０００５】
本発明は、以上のような点に鑑みてなされたものであって、その技術的課題は、ハンマーなどで繰り返し打撃しても、据付針の針本体とホルダの一体性が容易に損なわれることのない下げ振り保持器を提供することにある。
【課題を解決するための手段】
【０００６】
上述した技術的課題を有効に解決するための手段として、本発明に係る下げ振り保持器は、下げ振り糸を巻き取る糸巻と、この糸巻を回転可能に収納したケースと、このケースを任意の位置へ止着するための据付針とを備える下げ振り保持器において、前記据付針が、尖端が前記ケースの取付面に形成した針突没孔から突没される針本体と、この針本体の基部を埋設した状態に成形され前記針突没孔と対応してケースの背面に開設された背面孔から頭部が常時突出されるホルダからなり、前記針本体に、前記ホルダとの咬合部が形成されたことを特徴とするものである。
【０００７】
上記構成において、針本体に形成されたホルダとの咬合部は、針本体の異形断面部からなるもの、あるいは針本体の蛇行部からなるものとすることができる。
【発明の効果】
【０００８】
本発明に係る下げ振り保持器によれば、建築物の木部等に据付針で固定する際に、この据付針のホルダの頭部に設けられた金属製の石突をハンマー等で打撃することによって、その打撃力が石突から直接、針本体に伝達されるので、据付針の耐衝撃力が大きいものとなり、強い打撃力で効率良く前記木部等に打ち込むことができる。しかも針本体は、咬合部によってホルダと咬合状態にあるので、剥離が起こっても針本体とホルダとの一体性を維持することができる。
【発明を実施するための最良の形態】
【０００９】
以下、本発明に係る下げ振り保持器の好ましい実施の形態について、図面を参照しながら説明する。まず図１は、本発明に係る下げ振り保持器の好ましい実施の形態を、一部破断して内部構造を表した側面図、図２は、図１に示される据付針の軸方向断面図、図３は、図２におけるIII−III断面図、図４は、図２に示される据付針の針本体の咬合部を示すもので、（Ａ）は要部拡大図、（Ｂ）は（Ａ）のＢ−Ｂ断面図である。
【００１０】
図１に示される下げ振り保持器において、参照符号１は、扁平な一対のケース半体１１，１２を対向させ複数のビス１３で組み立てたケース、参照符号２は、このケース１内に回転自在に収納されて下げ振り糸３を巻き取る糸巻、参照符号４は、この糸巻２を下げ振り糸３の巻き取り方向に付勢する渦巻バネである。先端に不図示の錘を繋着した下げ振り糸３は、ケース１内部を不図示の複数の案内棒で複雑に蛇行し、ケース１の下端面の孔から導出されている。
【００１１】
ケース１の上部には、このケース１（下げ振り保持器）を建築物における木製柱等の木部に止着するための据付針５が、ケース１の取付面１ａに対して略垂直な方向へ移動可能に挿入されている。この据付針５は、尖端５１ａがこのケース１の取付面１ａの上部に開設された針突没孔１４から突没可能な金属製の針本体５１と、前記針突没孔１４と対応してケース１の背面１ｂ上部に開設された後部孔１５から頭部５２ａが常時突出するＡＢＳ等の合成樹脂製のホルダ５２と、前記頭部５２ａに半埋設状態に設けられた金属製の石突５３とからなる。
【００１２】
すなわち、この据付針５は、不図示の樹脂成形用金型内に、針本体５１と、石突５３を位置決めセットして型締めし、前記金型によってこれら針本体５１と石突５３との間に画成された成形用キャビティ内に、成形用溶融樹脂材料を充填して架橋硬化させることによって、ホルダ５２の成形と、針本体５１及び石突５３へのホルダ５２の接着を同時に行ったものである。
【００１３】
据付針５における針本体５１は、ホルダ５２への埋設部分の長手方向複数箇所に、図２及び図３に示されるような、ホルダ５２との咬合部５１ｃが形成されている。この咬合部５１ｃは、針本体５１及び石突５３にホルダ５２を一体成形する前に、予め針本体５１の一部を、潰すことによって形成されたものであって、図３及び図４に示されるように、断面形状が十字状をなすことによって、ホルダ５２における合成樹脂材と咬合状態となっているものである。なお、この十字状断面による咬合部５１ｃは、請求項２に記載された異形断面部に相当する。
【００１４】
石突５３は、円柱状であって、外周面に咬合溝５３ａが形成されており、内端面５３ｂが針本体５１の頭部５１ｂと互いに当接又は近接対向された状態で、ホルダ５２に一体的に埋設されており、咬合溝５３ａよりも外側部分（外端面５３ｃ側）が、このホルダ５２の後端部から露出している。また、石突５３の外端面５３ｃの面積は、素手で打撃した場合にも痛くならない程度の大きさとなっており、ホルダ５２における合成樹脂材の一部が、咬合溝５３ａと咬合状態にあることによって、このホルダ５２からの脱落が確実に防止されている。
【００１５】
ホルダ５２の頭部５２ａには把手部５２ｂが形成されており、この把手部５２ｂは、針本体５１の尖端５１ａをケース１の針突没孔１４から突出させてもケース１の背面１ｂから離間した状態に維持され、手指で持ち易い鉤状の屈曲形状をなしている。また、ホルダ５２における内端寄りには、ストッパ５２ｃが形成されており、このストッパ５２ｃは、ケース１における後部孔１５の内側との干渉によって、この後部孔１５からの据付針５（ホルダ５２）の突出量を規制するものである。
【００１６】
図１及び図３に示されるように、ホルダ５２の側面部には、長手方向に所定間隔で並んだ多数の円形凹部５２ｄが形成されている。この円形凹部５２ｄは、ホルダ５２を手で握って押すことにより建築物の木部等に据付針５を突き刺したり、この木部等から据付針５を手で引き抜いたりする時の滑り止めになると共に、針本体５１の刺し込み量を確認するための概略的な目安としても機能する。
【００１７】
参照符号６は、ケース１の内部に形成され据付針５における針本体５１が遊挿されたスプリング押さえ１６と、据付針５におけるホルダ５２の先端部との間に介装され、据付針５を、ホルダ５２がケース１の背面１ｂの後部孔１５から突出する方向へ常時付勢するコイルスプリングである。そして、このコイルスプリング６の付勢力によって、ストッパ５２ｃがケース１の後部孔１５の内側と干渉する位置まで据付針５が後退した図１の状態では、針本体５１の尖端５１ａが、ケース１の針突没孔１４より内側に没入している。
【００１８】
なお、ケース１の取付面１ａには、このケース１（下げ振り保持器）を建築物における鉄骨柱に止着するためのマグネット７が、針突没孔１４の下側に位置して取り付けられている。
【００１９】
上記構成の下げ振り保持器は、ケース１を不図示の建築物の木部等に据付針５で固定する際に、この据付針５におけるホルダ５２の頭部５２ａに設けられた金属製の石突５３をハンマー等で打撃することによって、針本体５１を針突没孔１４から突出させて前記木部等に打ち込むことができる。ハンマー等により石突５３に与えられた打撃力は、その内端面５３ｂから直接、針本体５１に伝達されるので、合成樹脂材からなるホルダ５２によって打撃力が吸収されてしまうことがなく、効率良く前記木部等に打ち込むことができる。しかも、打撃によるホルダ５２への負荷も抑えられる。
【００２０】
また、上述のように、打撃力が石突５３から針本体５１に直接伝達されるので、針本体５１とホルダ５２との剥離が起こりにくく、しかも針本体５１は、長手方向複数箇所に形成された咬合部５１ｃがホルダ５２の合成樹脂材と咬合状態にあるので、剥離が起こっても針本体５１とホルダ５２との一体性が保持される。このため、据付針５は耐衝撃力が大きいものとなる。
【００２１】
ここで、ホルダ５２を手で握って強く押したり、あるいはホルダ５２の頭部５２ａを素手で叩くことによって据付針５を刺し込む場合、作業員の頭上の高い所では力が入らないので、あまり高い所にはケース１を取り付けにくく、相手木材が硬いものである場合にも据付針５の刺し込みが困難であるが、本発明の下げ振り保持器によれば、上述のように、据付針５の耐衝撃力が大きく、石突５３をハンマー等で打撃することによって据付針５を打ち込むことができるので、高い所や、硬質の木材へも容易迅速に設置することができる。しかも、打撃力の調整によって、据付針５の刺し込み深さを容易に調整できる。
【００２２】
また、石突５３をハンマー等で打撃することによって据付針５を深く打ち込むことができるので、下げ振りの錘が比較的重いのもであっても、下げ振り保持器が脱落するおそれが少なくなる。
【００２３】
相手木材に刺し込まれた据付針５は、ホルダ５２の把手部５２ｂを握って適当に回しながら引っ張ることによって引き抜くことができる。このとき、針本体５１とホルダ５２との剥離が生じていたとしても、針本体５１は、咬合部５１ｃによってホルダ５２との一体性が維持されているので、ホルダ５２の把手部５２ｂを握って適当に回しながら引き抜く時にホルダ５２のみが空転したり、針本体５１が相手木材に刺さったままホルダ５２から抜けてしまうようなことはない。このため、当該下げ振り保持器の取り外しを容易に行うことができる。
【００２４】
据付針５における針本体５１に形成された咬合部５１ｃは、図２、図３及び図４に示される形状に限定されるものではない。図５、図６及び図７は、針本体における咬合部の他の例を示すもので、それぞれ（Ａ）は要部拡大図、（Ｂ）は（Ａ）のＢ−Ｂ断面図である。
【００２５】
このうち、図５に示される咬合部５１ｃは、針本体５１を断面Ｉ字形に潰すことによって形成されたものであり、図６に示される咬合部５１ｃは、針本体５１の一部を円弧状又はＵ字形に屈曲させることによって形成したものであり、図７に示される咬合部５１ｃは、針本体５１の一部をＳ字形に屈曲させることによって形成したものである。なお、図５のＩ字形断面は、請求項２に記載された異形断面部に相当し、図６及び図７による屈曲部は、請求項３に記載された蛇行部に相当し、いずれも、針本体５１とホルダ５２との一体性を維持するのに有効である。
【図面の簡単な説明】
【００２６】
【図１】本発明に係る下げ振り保持器の好ましい実施の形態を、一部破断して内部構造を表した側面図である。
【図２】図１に示される据付針の軸方向断面図である。
【図３】図２におけるIII−III断面図である。
【図４】図２に示される針本体の咬合部を示すもので、（Ａ）は要部拡大図、（Ｂ）は（Ａ）のＢ−Ｂ断面図である。
【図５】針本体における咬合部の他の例を示すもので、（Ａ）は要部拡大図、（Ｂ）は（Ａ）のＢ−Ｂ断面図である。
【図６】針本体における咬合部の他の例を示すもので、（Ａ）は要部拡大図、（Ｂ）は（Ａ）のＢ−Ｂ断面図である。
【図７】針本体における咬合部の他の例を示すもので、（Ａ）は要部拡大図、（Ｂ）は（Ａ）のＢ−Ｂ断面図である。
【符号の説明】
【００２７】
１  ケース
２  糸巻
３  下げ振り糸
４  渦巻バネ
５  据付針
５１  針本体
５１ｃ  咬合部
５２  ホルダ
５２ａ  頭部
５３  石突
５３ａ  咬合溝
６  コイルスプリング
７  マグネット
【図１】
2007178260.tif 000003
【図２】
2007178260.tif 000004
【図３】
2007178260.tif 000005
【図４】
2007178260.tif 000006
【図５】
2007178260.tif 000007
【図６】
2007178260.tif 000008
【図７】
2007178260.tif 000009